(57)【要約】      （修正有）【課題】二つの長開口による、美観を損なうこと、スリーブにホコリが堆積すること、及び熱量の流失を解決可能な下肢マッサージ機を提供する。【解決手段】左面ケースプレート４１と、右面ケースプレート４２と、主面ケースプレート４３と、背面ケースプレートと、を有し、左面ケースプレートと右面ケースプレートの間に主面ケースプレートが連結されており、主面ケースプレートには、左右の長開口４５が設けられており、各長開口は、上端と、底端と、を有し、各長開口の内部には、ユーザの脹脛及び足部を収容する収容空間が設けられているケース４０と、ケースの内部に設けられており、収容空間に収容されるユーザの脹脛及び足部を按摩する電動按摩装置５０と、を含み、ケースの上側が延び方向に沿ってケースの前側に延びる。更に、主面ケースプレートをカバーする脱着可能なカバー３０を有する。【選択図】図１
0003199373.tif 000002
【実用新案登録請求の範囲】
【請求項１】
左面ケースプレートと、右面ケースプレートと、主面ケースプレートと、背面ケースプレートと、を有し、前記左面ケースプレートと前記右面ケースプレートの間に前記主面ケースプレートが連結されており、前記主面ケースプレートには、左の長開口と、右の長開口が設けられており、前記各長開口は、上端と、底端と、を有し、前記各長開口の内部には、ユーザの脹脛及び足部を収容する収容空間が設けられているケースと、
前記ケースの内部に設けられており、前記収容空間に収容されるユーザの脹脛及び足部を按摩する電動按摩装置と、
を含み、
前記ケースの上側が延び方向に沿って前記ケースの前側に延びる下肢マッサージ機において、
更に、前記主面ケースプレートをカバーする脱着可能なカバーを有し、前記カバーは、長さ方向と、幅方向と、を有し、前記長さ方向は前記主面ケースプレートの前記延び方向に一致し、前記幅方向は前記ケースの左右軸方向に一致し、前記長さ方向において、前記カバーを任意に屈折可能であり、前記主面ケースプレートには、前記延び方向に沿って分布する第１磁性吸着部材が少なくとも一つ設けられており、前記カバーには、前記長さ方向に沿って分布する第２磁性吸着部材が少なくとも一つ設けられており、前記各第２磁性吸着部材とそれに対応する前記第１磁性吸着部材は磁力によってお互いに吸着可能であり、前記各第２磁性吸着部材と前記各第１磁性吸着部材との吸着により、前記カバーが前記主面ケースプレートの表面の予定位置に完全に吸着され、前記カバーは、少なくとも左右の前記長開口の上端以外の部分をカバー可能であることを特徴とする下肢マッサージ機。
【請求項２】
前記カバーの全部が前記主面ケースプレートの表面の前記予定位置に完全に吸着されるときには、左右の前記長開口が完全にカバーされ、前記カバーの上部を開くと、左右の前記長開口の上端が露出することを特徴とする、請求項１に記載の下肢マッサージ機。
【請求項３】
更に、加熱装置を含み、前記加熱装置は、前記ケースの内部に設けられており、空気を加熱して前記収容空間に送り込むことを特徴とする、請求項１に記載の下肢マッサージ機。
【請求項４】
前記カバーの幅方向での柔軟度は、前記カバーの長さ方向での柔軟度より低いことを特徴とする、請求項１に記載の下肢マッサージ機。
【請求項５】
前記カバーは、軟質な表層と、前記表層に結合する軟質な裏層と、を有し、前記表層と前記裏層の間には、平行に延びるストリップが若干挟まれており、前記ストリップの延び方向は前記カバーの幅方向に一致し、隣接する前記ストリップ同士の間には、予定の隙間が存在することを特徴とする、請求項４に記載の下肢マッサージ機。
【請求項６】
前記第１磁性吸着部材と前記第２磁性吸着部材とは、磁石であることを特徴とする、請求項１に記載の下肢マッサージ機。
【考案の詳細な説明】
【技術分野】
【０００１】
本考案は、マッサージ機に関し、特に、人体の脹脛と足部とを電動的に按摩可能な下肢マッサージ機に関するものである。
【背景技術】
【０００２】
人体の脹脛と足部を電動的に按摩可能であって、従来の下肢マッサージ機は、ケースを有し、その内部に電動按摩装置が設けられており、ケースの上面から正面までの区域には、ユーザの両足を差し込み可能な二つの長開口が設けられており、各長開口の内部には、ユーザの脹脛と足部とを収容する収容空間が形成されている。収容空間の内部には、ユーザの下肢と電動按摩装置とを隔離するためのスリーブが設けられている。スリーブは袋状を呈する。しかし、上記の下肢マッサージ機を利用しないときに、室内に置く下肢マッサージ機は、二つの長開口の見た目が悪いため下肢マッサージ機の全体の美観に影響を与える。上記の下肢マッサージ機は、長期に放置すると、二つの長開口が開放状態であるため、スリーブにホコリが堆積しやすい。上記の下肢マッサージ機は、その内部に加熱装置が設けられているが、空気の熱量が二つの長開口から外部に漏れ出しやすい。これにより、ユーザの脹脛と足部とを暖める効果が低下する。
【０００３】
一方、上記の下肢マッサージ機は、按摩時の足部の姿勢によって、マッサージ機の床面に対する傾斜度を調整可能である（例えば特許文献１の台湾発明Ｉ３２９０１１号を参照）が、傾斜度を調整する構造が複雑であるため、生産コストが高い。
【先行技術文献】
【特許文献】
【０００４】
【特許文献１】台湾発明Ｉ３２９０１１号公報
【考案の概要】
【考案が解決しようとする課題】
【０００５】
本考案の主な目的は、二つの長開口により、美観を損なうこと、スリーブにホコリが堆積すること、及び熱量の流失を解決可能な下肢マッサージ機を提供することである。
【課題を解決するための手段】
【０００６】
本考案の下肢マッサージ機によると、左面ケースプレートと、右面ケースプレートと、主面ケースプレートと、背面ケースプレートと、を有し、左面ケースプレートと右面ケースプレートの間に主面ケースプレートが連結されており、主面ケースプレートには、左の長開口と、右の長開口とが設けられており、各長開口は、上端と、底端と、を有し、各長開口の内部には、ユーザの脹脛及び足部を収容する収容空間が設けられているケースと、
ケースの内部に設けられており、収容空間に収容されるユーザの脹脛及び足部を按摩する電動按摩装置と、
を含み、
ケースの上側が延び方向に沿ってケースの前側に延びる下肢マッサージ機において、
更に、主面ケースプレートをカバーする脱着可能なカバーを有し、カバーは、長さ方向と、幅方向と、を有し、長さ方向は主面ケースプレートの延び方向に一致し、幅方向はケースの左右軸方向に一致し、長さ方向において、カバーを任意に屈折可能であり、主面ケースプレートには、延び方向に沿って分布する第１磁性吸着部材が少なくとも一つ設けられており、カバーには、長さ方向に沿って分布する第２磁性吸着部材が少なくとも一つ設けられており、各第２磁性吸着部材はそれに対応する第１磁性吸着部材と磁力によってお互いに吸着可能であり、各第２磁性吸着部材と各第１磁性吸着部材との吸着により、カバーが主面ケースプレートの表面の予定位置に完全に吸着され、カバーは、少なくとも左右の長開口の上端以外の部分をカバー可能であることを特徴とする。
【０００７】
本考案の下肢マッサージ機によると、カバーの全部が主面ケースプレートの表面の予定位置に吸着されるときには、左右の長開口が完全にカバーされ、カバーの上部を開くと、左右の長開口の上端が露出することを特徴とする。
【０００８】
本考案の下肢マッサージ機によると、更に、加熱装置を含み、加熱装置は、ケースの内部に設けられており、空気を加熱して収容空間に送り込むことを特徴とする。
【０００９】
本考案の下肢マッサージ機によると、カバーの幅方向での柔軟度は、カバーの長さ方向での柔軟度より低いことを特徴とする。
【００１０】
本考案の下肢マッサージ機によると、カバーは、軟質な表層と、表層に結合する軟質な裏層と、を有し、表層と裏層との間には、平行に延びるストリップが若干挟まれており、ストリップの延び方向はカバーの幅方向に一致し、隣接するストリップ同士の間には、予定の隙間が存在することを特徴とする。
【００１１】
本考案の下肢マッサージ機によると、第１磁性吸着部材と第２磁性吸着部材は、磁石であることを特徴とする。
【考案の効果】
【００１２】
本考案の下肢マッサージ機によれば、二つの長開口による、美観を損なうこと、スリーブにホコリが堆積すること、及び空気の熱の漏れ出しを解決可能であるという効果を有する。
【図面の簡単な説明】
【００１３】
【図１】本考案の一実施形態に係る下肢マッサージ機を示す斜視図である。
【図２】本考案の一実施形態に係る下肢マッサージ機の使用状態を示す図であって、カバーがケースの長開口を完全にカバーする。
【図３】本考案の一実施形態に係る下肢マッサージ機の使用状態を示す図であって、長開口の上端が露出するように、カバーがケースをカバーする。
【図４】本考案の一実施形態に係る下肢マッサージ機のマッサージ機本体の後方の視点から見た斜視図である。
【図５】本考案の一実施形態に係る下肢マッサージ機の支持部材の近傍を示す断面図である。
【図６】本考案の一実施形態に係る下肢マッサージ機を示す側面図であって、ケースが正常位置に位置する。
【図７】本考案の一実施形態に係る下肢マッサージ機を示す側面図であって、ケースが後方へ傾斜する傾斜位置に位置する。
【考案を実施するための最良の形態】
【００１４】
以下、本考案の実施の形態を図面に基づいて説明する。
図１から図３を参照する。図１は本考案の一実施形態に係る下肢マッサージ機を示す斜視図であり、図２は、本考案の一実施形態に係る下肢マッサージ機の使用状態を示す図であって、カバーがケースの長開口を完全にカバーし、図３は、本考案の一実施形態に係る下肢マッサージ機の使用状態を示す図であって、長開口の上端が露出するように、カバーがケースをカバーする。
【００１５】
本実施形態に係る下肢マッサージ機１０は、マッサージ機本体２０と、カバー３０と、から構成される。マッサージ機本体２０はケース４０を有する。ケース４０は、左面ケースプレート４１と、右面ケースプレート４２と、主面ケースプレート４３と、背面ケースプレート４４と、を有する。左面ケースプレート４１と右面ケースプレート４２の間に主面ケースプレート４３が連結されている。ケース４０の上側は、延び方向に沿ってケース４０の前側に延びる。本実施形態では、主面ケースプレート４３の表面は、前記延び方向の何れかの位置での断面が左右軸方向に平行するストレート状を呈する。主面ケースプレート４３には、左右にある長開口４５、４５が設けられている。各長開口４５は、上端と、底端と、を有する。各長開口４５の内部には、ユーザの脹脛及び足部を収容する収容空間（図示せず）が設けられている。ケース４０の内部に電動按摩装置５０が設けられている。電動按摩装置５０は、前記収容空間に収容されるユーザの脹脛及び足部を按摩可能である。上記の按摩装置は、基本的には、本考案の重点ではなく、そして市販している下肢マッサージ機に設けられている電動按摩装置が本考案に適用可能であるため、電動按摩装置５０の構成及び動作についての説明を省略する。ユーザの下肢と電動按摩装置５０とを間隔するためのスリーブの図示も省略する。ケース４０の内部には、更に、加熱装置（図示せず）が設けられている。前記加熱装置は、空気を加熱して前記収容空間に送り込む。前記加熱装置により、按摩する時に、ユーザの下肢を暖めることが可能である。
【００１６】
カバー４０は、主面ケースプレート４３を脱着可能にカバーする。カバー４０は、長さ方向と、幅方向と、を有する。前記長さ方向は、主面ケースプレート４３の前記延び方向に一致する。前記幅方向は、ケース４０の左右軸方向に一致する。本実施形態では、カバー３０の長さＬが主面ケースプレート４３の前記延び方向での長さにほぼ一致する（よりやや小さい）。カバー３０の幅Ｗは、主面ケースプレート４３の左右軸方向での幅にほぼ一致する（よりやや小さい）。前記長さ方向において、カバー３０を任意に屈折することができる。例えばカバー３０は、前記長さ方向において、波状、螺旋状、又は各種の曲線状にすることが可能である。そしてカバー３０は、前記幅方向での屈折の柔軟度が前記長さ方向での屈折の柔軟度より低い。カバー３０は、軟質な表層（図示せず）と、前記表層と結合する軟質な裏層（図示せず）と、を有する。前記表層と前記裏層との間には、平行に延びるストリップ３１が若干挟まれている。ストリップ３１の延び方向は、カバー３０の幅方向に一致する。隣接するストリップ３１同士の間には、予定の隙間が存在する。
【００１７】
主面ケースプレート４３には、前記延び方向に沿って分布する第１磁性吸着部材（図示せず）が少なくとも一つ設けられている。例えば長開口４５の長手方向の側辺には、若干の磁性吸着部材が等距離に設けられており、又は条状を呈する磁性吸着部材が設けられている。カバー３０には、その長さ方向に沿って分布する第２磁性吸着部材（図示せず）が少なくとも一つ設けられている。例えばカバー３０の長手方向のエッジに近接する箇所には、若干の磁性吸着部材が等距離に設けられており、又は条状を呈する磁性吸着部材が設けられている。前記各第２磁性吸着部材は、それに対応する前記第１磁性吸着部材とお互いに吸着可能である。本実施形態では、前記第１磁性吸着部材と前記第２磁性吸着部材とが磁石である。もちろん、前記第１磁性吸着部材と前記第２磁性吸着部材は、磁石と鉄片の組合せでもよい。前記各第２磁性吸着部材と前記各第１磁性吸着部材との吸着により、カバー３０が主面ケースプレート４３の表面の予定位置に位置可能である（本実施形態では、前記表面が完全にカバーされる。）。カバー３０は、図２に示すように、左右の長開口４５、４５をカバー可能である。これにより、下肢マッサージ機１０を利用しないときには、ケース４０の前記予定位置にカバー３０をカバーすると、下肢マッサージ機１０の外観が良くなり、そして長開口４５内に設けられているスリーブにホコリが堆積しない。なお、下肢マッサージ機１０を利用するときには、カバー３０を容易に取り外して折畳んで別の場所に収納すると、下肢マッサージ機１０を利用することが可能である。前記加熱装置をオンにするときには、主面ケースプレート４３にカバー３０が吸着されており、長開口４５の上端から、ユーザの脹脛を差込むために、カバー３０の上部だけを開くと、空気の熱が外部に流出しない。これにより、前記加熱装置の加熱効果を増加することが可能である。
【００１８】
本考案の別の実施形態（図示せず）では、カバーの長さがより短いため、長開口の上端以外の部分だけをカバー可能である。
【００１９】
図４から図７を参照する。図４は本考案の一実施形態に係る下肢マッサージ機のマッサージ機本体の後方の視点から見た斜視図であり、図５は本考案の一実施形態に係る下肢マッサージ機の支持部材の近傍を示す断面図であり、図６は、本考案の一実施形態に係る下肢マッサージ機を示す側面図であって、ケースが正常位置に位置し、図７は、本考案の一実施形態に係る下肢マッサージ機を示す側面図であって、ケースが後方へ傾斜する位置に傾斜に位置する。ケース４０の底部の後端に支持ユニット６０が設けられている。支持ユニット６０は、ケース４０の左右軸方向に沿って延びるストリップ６１を有する。ストリップ６１の前端には、左右の枢着部６２、６２が一体成形されている。枢着部６２は、ケース４０の左右軸方向に平行し、ケース４０の底部の後端に枢着されている。各枢着部６２に捻りバネ６４が設けられている。捻りバネ６４は、一端がケース４０に押付け、他端がストリップ６１に押付けられる。ストリップ６１の後端には、円筒状を呈するローラ６３が枢着されている。ローラ６３は、支持ユニット６０の床面に当接する支持部にする。ローラ６３の枢着軸は、ケース４０の左右軸方向に平行する。
【００２０】
図６及び図７における一点鎖線Ａは、前記収容空間の内部の「脹脛の軸方向」とし、ユーザの脹脛の長さ方向に対応する。下肢マッサージ機１０を利用するときには、支持ユニット６０の前記支持部（ローラ６３）が床面に当接し、ケース４０が支持ユニット６０の枢着部６２を中心として、図６に示す正常位置と図７に示す後方へ傾斜する傾斜位置との間に旋回可能である。ケース４０が前記正常位置に位置するときには、ケース４０の底部（本実施形態では、四つのコーナーに設けられているパッド）が床面に当接する。このとき、脹脛の軸方向Ａとマッサージ機の後方の床面の間の角度は相対的に大きい。なお、ケース４０が前記傾斜位置に位置するときには、ケース４０と支持ユニット６０とが互いに係合し（図５を参照する。本実施形態では、ケース４０の係合部４６がストリップ６１の止め部６５と係合する。）、ケース４０の底部の前端と床面との間に隙間があり、そして脹脛の軸方向Ａとマッサージ機の後方の床面の間の角度が相対的に小さい。ケース４０を前記正常位置から前記傾斜位置に旋回すると、捻りバネ６４が捻られる。捻りバネ６４により、ケース４０の後方へ傾斜する動作が緩和され、ケース４０を前記正常位置に戻すことが可能であり、支持ユニット６０のローラ６３が床面に押付けられる。
【００２１】
これにより、ユーザは、按摩時の下肢の姿勢によって、下肢マッサージ機１０のケース４０を前記正常位置、又は前記傾斜位置に位置することが可能である。使用時に、下肢の姿勢を変更するために、マッサージ機とユーザとの間の距離を調整したいときに、ユーザは、下肢をマッサージ機から引き出して座席から離れることが必要なく、下肢によってマッサージ機に力を加えると、ローラ６３により、傾斜しているマッサージ機本体２０を前後にスライド可能である。
【産業上の利用可能性】
【００２２】
本考案は、マッサージ機に適用することができる。
【符号の説明】
【００２３】
１０  下肢マッサージ機
２０  マッサージ機本体
３０  カバー
３１  ストリップ
４０  ケース
４１  左面ケースプレート
４２  右面ケースプレート
４３  主面ケースプレート
４４  背面ケースプレート
４５  長開口
４６  係合部
６０  支持ユニット
６１  ストリップ
６２  枢着部
６３  ローラ（支持部）
６４  捻りバネ
６５  止め部
Ａ  下肢軸方向
Ｌ  カバー長さ
Ｗ  カバー幅
【図１】
0003199373.tif 000003
【図２】
0003199373.tif 000004
【図３】
0003199373.tif 000005
【図４】
0003199373.tif 000006
【図５】
0003199373.tif 000007
【図６】
0003199373.tif 000008
【図７】
0003199373.tif 000009